(57)【要約】【課題】  上皿に残存する遊技球をも含めて、１回の遊技に必要な数の遊技球が残存しているか、遊技者が容易に視認できると共に、筐体内の空間を有効利用でき、さらに、遊技球投入装置を容易に掃除できる回胴式遊技機を提供する。【解決手段】  回胴式遊技機１において、上皿８に形成した遊技球通路１４に接続して、上皿カバー１６の内部に遊技球投入装置１８を配設する。遊技球投入装置１８の上方の前記上皿カバー１６の部分には、視認窓３１を穿設し、視認窓３１は、透明な被覆体３２によって閉鎖する。【選択図】          図４
2006326113.tif 000002
【特許請求の範囲】
【請求項１】
上皿に形成した遊技球通路に接続して、上皿カバーの内部に遊技球投入装置を配設したことを特徴とする回胴式遊技機。
【請求項２】
前記遊技球通路を上皿の一端部に向かって下方傾斜させ、その一端部に遊技球投入装置を配設したことを特徴とする請求項１に記載の回胴式遊技機。
【請求項３】
前記遊技球通路を上皿の中央部に向かって下方傾斜させ、その中央部に遊技球投入装置を配設したことを特徴とする請求項１に記載の回胴式遊技機。
【請求項４】
前記遊技球投入装置の上方の前記上皿カバーに、視認窓を穿設したことを特徴とする請求項１乃至３に記載の回胴式遊技機。
【請求項５】
前記視認窓は、透明な被覆体によって閉鎖したことを特徴とする請求項４に記載の回胴式遊技機。
【請求項６】
前記上皿は、複数の上皿分割体によって構成したことを特徴とする請求項１乃至５に記載の回胴式遊技機。
【請求項７】
複数の上皿分割体は、前記遊技球通路を形成した上皿分割体と、前記遊技球投入装置を配設した上皿分割体と、から構成したことを特徴とする請求項６に記載の回胴式遊技機。
【発明の詳細な説明】
【技術分野】
【０００１】
本発明は、遊技球を使用して遊技する回胴式遊技機に関し、特には、回胴式遊技機の筐体前面に配設され、遊技球を貯留しておく上皿の構造に関する。
【背景技術】
【０００２】
近年、遊技メダルを使用して遊技する回胴式遊技機に代わって、遊技球を使用する回胴式遊技機が多数開発されてきた。この回胴式遊技機にあっては、遊技球５個を遊技メダル１枚に相当するものとして使用する。
又、従来の回胴式遊技機において、１回の遊技で使用できる遊技メダルは最大３枚までと規定されているから、遊技球に換算すると、１回の遊技で５個、１０個、１５個の遊技球を使用できることになる。
【０００３】
遊技をするために使用する遊技球Ｐは、図９及び図１０に示すように、回胴式遊技機２０１の筐体２０２前面に配設された上皿２０３に貯留しておき、遊技をする毎に投入ボタン２０４を押下して、適宜個数の遊技球Ｐを上皿２０３から投入口を介して筐体２０２内部に配設された遊技球投入装置２０５へ送給するようになっている。
ここで、上皿２０３の投入口近傍部は、内部構造、電気配線等が見えないように、カバーで被覆されている。
【０００４】
従来の回胴式遊技機２０１にあっては、上皿２０３の投入口近傍部はカバーで被覆されていたから、遊技者は、上皿２０３に十分な遊技球Ｐが残存しているか確実に認知することができず、投入ボタン２０４を押下しても、１回の遊技に必要な数の遊技球Ｐが残存しておらず、遊技を途中で中断しなければならない、という事態が発生した。
【０００５】
このような不都合を解消するべく、遊技者が上皿に残存する遊技球を視認できるようにした回胴式遊技機が提案されている（特許文献１参照）。
この回胴式遊技機は、上皿１から投入口に至る部分の上皿１のカバーの側面部を透明として、遊技者が上皿１に残存する遊技球Ｐを視認できるようにしたものである。
【０００６】
【特許文献１】特開２００４−８４１１号公報
【発明の開示】
【発明が解決しようとする課題】
【０００７】
しかし、従来の回胴式遊技機は何れも、遊技球投入装置が筐体内部に配設されているため、投入口から遊技球投入装置に至る投入通路内に、１回の遊技に必要な数の遊技球Ｐが残存しているか、全く認知することができなかった。
【０００８】
又、特許文献１に記載された回胴式遊技機は、上皿から投入口に至る部分の上皿のカバーの側面部を透明としたが、遊技時において、遊技者の頭部は上皿よりもかなり上方に位置するため、上皿のカバーの側面部から遊技球Ｐを視認するのは困難であった。
【０００９】
さらに、遊技球投入装置が筐体内部に配設されているため、どうしても筐体が肉厚にならざるを得ず、さらに、遊技球投入装置にはゴミ、埃等が蓄積し易いが、掃除をするには筐体を開放しなければならず、面倒で時間がかかった。
【００１０】
本発明は、かかる従来の問題点に鑑みて為されたものであって、上皿に残存する遊技球をも含めて、１回の遊技に必要な数の遊技球が残存しているか、遊技者が容易に視認できると共に、筐体内の空間を有効利用でき、さらに、遊技球投入装置を容易に掃除できる回胴式遊技機を提供することを目的とする。
【課題を解決するための手段】
【００１１】
上記目的を達成するため、本発明の回胴式遊技機は、上皿に形成した遊技球通路に接続して、上皿カバーの内部に遊技球投入装置を配設したことを特徴とする。
【００１２】
前記遊技球通路を上皿の一端部に向かって下方傾斜させ、その一端部に遊技球投入装置を配設してもよい。
【００１３】
前記遊技球通路を上皿の中央部に向かって下方傾斜させ、その中央部に遊技球投入装置を配設してもよい。
【００１４】
又、前記遊技球投入装置の上方の前記上皿カバーの部分には、視認窓を穿設するのが好ましく、前記視認窓は、透明な被覆体によって閉鎖するのが好ましい。
【００１５】
前記上皿は、複数の上皿分割体によって構成してもよい。
【００１６】
複数の上皿分割体は、前記遊技球通路を形成した上皿分割体と、前記遊技球投入装置を配設した上皿分割体とするのが好ましい。
【発明を実施するための最良の形態】
【００１７】
以下、本発明の回胴式遊技機の好適な実施形態について、図面を参照して詳細に説明する。
【００１８】
本発明の回胴式遊技機１は、図１乃至図３に示すように、筐体２内の上部に同軸上に３体のリール３，３，３を配設してあり、各リール３の周面には表示板４を固着してある。そして、表示板４は、周方向に均等間隔で複数の駒５，５，・・・に分割してあり、各駒５には適宜図柄６を表示してある。
【００１９】
筐体２の正面上部には、３個の表示窓７，７，７を形成してあり、各表示窓７から前記リール３の表示板４の一部が視認できるようになっている。
【００２０】
筐体２の正面下部には、遊技球Ｐを貯留する上皿８、投入ボタン９、スタートレバー１０、３個のストップボタン１１，１１，１１、キャンセルボタン１２、遊技球Ｐを回収する下皿１３を配設してある。
【００２１】
上皿８の遊技球通路１４は、図４及び図５に示すように、左端から右端に向かって若干下方傾斜しており、筐体２の前面左側部に形成された遊技球排出口１５から排出されてきた遊技球Ｐを自重で転動させ、右端まで送給するようになっている。
【００２２】
上皿８の右端部であって、上皿カバー１６の内部には、図４及び図５に示すように、遊技球投入装置１８を配設してあり、遊技球Ｐは、上皿カバー１６の側面に形成された遊技球通過口１７を介して遊技球投入装置１８に供給されるようになっている。
【００２３】
遊技球投入装置１８は、図５及び図６に示すように、駆動モータ１９によって上側ディスク２０，下側ディスク２１が回転するようになっており、遊技球Ｐは、上側ディスク２０に形成された通過孔２０ａから下方に落下するようになっている。
落下した遊技球Ｐは、下側ディスク２１に立設された押圧ピン２２によって外周壁２３に沿って移動され、排出通路２４に案内され、筐体２の前面右側部に形成された遊技球投入口２５を介して遊技球計数装置３０に供給されるようになっている。
【００２４】
尚、排出通路２４の入口部には計数機構２６が配設されており、遊技球Ｐが排出通路２４の入口部において計数ローラ２７を押圧すると、計数ローラ２７を枢着した作用杆２８が揺動し、その一端部を計数センサ２９が検知することによって、排出された遊技球Ｐを計数するようになっている。
【００２５】
又、遊技球投入装置１８の上方であって、上皿カバー１６の上面には、図４及び図５に示すように、円形状の視認窓３１を穿設してあり、視認窓３１は透明なガラス、プラスチック等から成る被覆体３２で閉鎖してある。
【００２６】
以上の如く、本発明の回胴式遊技機１は、上皿８の右端部の上皿カバー１６の内部に遊技球投入装置１８を配設したから、遊技時において、遊技者は、１回の遊技に必要な数の遊技球Ｐが残存しているか、容易に認知することができる。
【００２７】
又、遊技球投入装置１８の上方に位置する上皿カバー１６の上面に視認窓３１を穿設したから、遊技時において、遊技者は、頭部を殆ど移動させることなく、上方から上皿８に残存する遊技球Ｐを確実に視認できる。
【００２８】
又、遊技球投入装置１８を筐体２の外部に配設したから、筐体２を薄肉とすることができ、従来の肉厚を維持した場合にも、その分だけ内部空間を有効に利用でき、例えば、制御基板、電装部品等を配置することができる。
【００２９】
さらに、遊技球投入装置１８を筐体２の外部であって、前面に配設した上皿カバー１６の内部に配設したから、視認窓３１を閉鎖する被覆体３２を離脱させ、又は、上皿カバー１６を離脱させて、遊技球投入装置１８内のゴミ、埃等を容易に掃除することができる。
【００３０】
上記実施例においては、遊技球通路１４を上皿８の右端部に向かって下方傾斜させ、右端部に遊技球投入装置１８を配設したが、遊技球通路１４を上皿８の左端部に向かって下方傾斜させ、左端部に遊技球投入装置１８を配設してもよい。
さらに、遊技球通路１４を上皿８の中央部に向かって下方傾斜させ、その中央部に遊技球投入装置１８を配設するようにしてもよい。
【００３１】
上記上皿８に代えて、図７及び図８に示すように、２体から成る上皿１０８を採用するようにしてもよい。
【００３２】
上皿１０８は、図７及び図８に示すように、遊技球通路１４を形成した上皿分割体１０９と、遊技球投入装置１８を配設した上皿分割体１１０とから構成してある。
そして、上皿分割体１０９の上皿カバー１１１と上皿分割体１１０の上皿カバー１１２とは、互いの側面において嵌合させて一体化できるようになっている。
【００３３】
上皿１０８を採用した場合には、例えば、遊技球投入装置１８が故障したり、破損したりした場合に、上皿分割体１１０のみを分離させることができるので、修理又は交換の際に便利である。
【図面の簡単な説明】
【００３４】
【図１】本発明の回胴式遊技機の一実施例の正面図である。
【図２】本発明の回胴式遊技機の一実施例の側面図である。
【図３】本発明の回胴式遊技機の一実施例の平面図である。
【図４】本発明の回胴式遊技機の一実施例の斜視図である。
【図５】図４に示す回胴式遊技機の上皿の斜視図である。
【図６】図４に示す回胴式遊技機に配設された遊技球投入装置の（Ａ）は平面図、（Ｂ）は平面断面図である。
【図７】本発明の回胴式遊技機の他実施例の斜視図である。
【図８】図７に示す回胴式遊技機の上皿の斜視図である。
【図９】従来の回胴式遊技機の正面図である。
【図１０】従来の回胴式遊技機の側面図である。
【符号の説明】
【００３５】
１  回胴式遊技機
８  上皿
１４  遊技球通路
１６  上皿カバー
１８  遊技球投入装置
３１  視認窓
３２  被覆体
１０８  上皿
１０９  上皿分割体
１１０  上皿分割体
１１１  上皿カバー
１１２  上皿カバー
Ｐ  遊技球
【図１】
2006326113.tif 000003
【図２】
2006326113.tif 000004
【図３】
2006326113.tif 000005
【図４】
2006326113.tif 000006
【図５】
2006326113.tif 000007
【図６】
2006326113.tif 000008
【図７】
2006326113.tif 000009
【図８】
2006326113.tif 000010
【図９】
2006326113.tif 000011
【図１０】
2006326113.tif 000012